(57)【特許請求の範囲】
【請求項１】
通信相手と通信する通信装置であって、
所定の問い合わせ情報に対応する回答情報を記憶する記憶手段と、
前記所定の問い合わせ情報をブロードキャスト送信する送信手段と、
前記所定の問い合わせ情報に対する応答情報と当該応答情報の送信元の通信用識別情報とを含む返信情報を受信する受信手段と、
前記応答情報が前記回答情報と一致する場合に、前記応答情報の送信元の通信用識別情報を、前記通信相手の通信用識別情報として特定する制御手段と、を含む通信装置。
【請求項２】
前記通信相手は複数であり、
前記制御手段は、所定時間内に、前記受信手段が、前記回答情報と一致する応答情報を含む複数の返信情報を受信した場合には、各返信情報に含まれる応答情報の送信元の通信用識別情報を、各通信相手の通信用識別情報として特定する、請求項１に記載の通信装置。
【請求項３】
前記制御手段は、前記通信相手の通信用識別情報を用いて前記通信相手を指定して前記通信相手と通信する、請求項１または２に記載の通信装置。
【請求項４】
前記通信装置の通信用識別情報を更新する更新手段をさらに含み、
前記制御手段は、前記受信手段が前記所定の問い合わせ情報を受信すると、前記通信装置の最新の通信用識別情報を含みかつ前記所定の問い合わせ情報に対する応答情報として前記回答情報を含む返信情報を、前記所定の問い合わせ情報の送信元に前記送信手段から送信する、請求項１から３のいずれか１項に記載の通信装置。
【請求項５】
車両に設置される通信装置であって、
前記通信装置の通信用識別情報を更新する更新手段と、
所定の問い合わせ情報に対応する回答情報を記憶する記憶手段と、
前記所定の問い合わせ情報を受信すると、前記通信装置の最新の通信用識別情報を含みかつ前記所定の問い合わせ情報に対する応答情報として前記回答情報を含む返信情報を、前記所定の問い合わせ情報の送信元に送信する通信制御手段と、を含む通信装置。
【請求項６】
通信相手と通信する通信装置での通信相手特定方法であって、
所定の問い合わせ情報に対応する回答情報を記憶手段に記憶し、
前記所定の問い合わせ情報をブロードキャスト送信し、
前記所定の問い合わせ情報に対する応答情報と当該応答情報の送信元の通信用識別情報とを含む返信情報を受信し、
前記応答情報が前記回答情報と一致する場合に、前記応答情報の送信元の通信用識別情報を、前記通信相手の通信用識別情報として特定する、通信相手特定方法。
【請求項７】
車両に設置される通信装置での返信情報送信方法であって、
前記通信装置の通信用識別情報を更新し、
所定の問い合わせ情報に対応する回答情報を記憶手段に記憶し、
前記所定の問い合わせ情報を受信すると、前記通信装置の最新の通信用識別情報を含みかつ前記所定の問い合わせ情報に対する応答情報として前記回答情報を含む返信情報を、前記所定の問い合わせ情報の送信元に送信する、返信情報送信方法。
【請求項８】
コンピュータに、
所定の問い合わせ情報に対応する回答情報を記憶手段に記憶する記憶手順と、
前記所定の問い合わせ情報をブロードキャスト送信する送信手順と、
前記所定の問い合わせ情報に対する応答情報と当該応答情報の送信元の通信用識別情報とを含む返信情報を受信する受信手順と、
前記応答情報が前記回答情報と一致する場合に、前記応答情報の送信元の通信用識別情報を、通信相手の通信用識別情報として特定する制御手順と、を実行させるためのプログラム。
【請求項９】
コンピュータに、
前記コンピュータの通信用識別情報を更新する更新手順と、
所定の問い合わせ情報に対応する回答情報を記憶手段に記憶する記憶手順と、
前記所定の問い合わせ情報を受信すると、前記コンピュータの最新の通信用識別情報を含みかつ前記所定の問い合わせ情報に対する応答情報として前記回答情報を含む返信情報を、前記所定の問い合わせ情報の送信元に送信する通信手順と、を実行させるためのプログラム。
【発明の詳細な説明】
【技術分野】
【０００１】
本発明は、無線通信を行う通信装置、通信相手識別情報特定方法、返信情報送信方法および記録媒体に関し、例えば、車載機として車両に搭載された他の通信装置と通信する通信装置、通信相手識別情報特定方法、返信情報送信方法および記録媒体に関する。
【背景技術】
【０００２】
車両と車両との間の通信である車々間通信が知られている。車々間通信では、車両に搭載された各通信装置の間で無線通信が行われる。【０００３】
特許文献１には、車載された通信装置の通信用識別情報としてＩＰ（Internet  Protocol）アドレスを用いて無線通信を行う無線データ送受信装置が記載されている。特許文献１に記載の無線データ送受信装置は、通信相手の通信用識別情報を用いて通信相手を指定して、通信相手と１対１通信を行う。
【先行技術文献】
【特許文献】
【０００４】
【特許文献１】特許第４２９６９１１号公報
【発明の概要】
【発明が解決しようとする課題】
【０００５】
車々間通信に用いられる通信装置の通信用識別情報は、通信装置のユーザのプライバシー保護のために時々変更されることになる。【０００６】
このため、特許文献１に記載の無線データ送受信装置は、通信相手の通信用識別情報（例えば、ＩＰアドレス）が変更されると、通信相手を特定できなくなり、通信相手との通信が困難になる。【０００７】
このため、通信相手の新たな通信用識別情報を入手するための手法が望まれるという課題があった。【０００８】
本発明の目的は、上記課題を解決可能な通信装置、通信相手識別情報特定方法、返信情報送信方法および記録媒体を提供することである。
【課題を解決するための手段】
【０００９】
本発明の通信装置は、通信相手と通信する通信装置であって、
所定の問い合わせ情報に対応する回答情報を記憶する記憶手段と、
前記所定の問い合わせ情報をブロードキャスト送信する送信手段と、
前記所定の問い合わせ情報に対する応答情報と当該応答情報の送信元の通信用識別情報とを含む返信情報を受信する受信手段と、
前記応答情報が前記回答情報と一致する場合に、前記応答情報の送信元の通信用識別情報を、前記通信相手の通信用識別情報として特定する特定手段と、を含む。【００１０】
本発明の通信装置は、車両に設置される通信装置であって、
前記通信装置の通信用識別情報を更新する更新手段と、
所定の問い合わせ情報に対応する回答情報を記憶する記憶手段と、
前記所定の問い合わせ情報を受信すると、前記通信装置の最新の通信用識別情報を含みかつ前記所定の問い合わせ情報に対する応答情報として前記回答情報を含む返信情報を、前記所定の問い合わせ情報の送信元に送信する通信制御手段と、を含む。【００１１】
本発明の通信相手識別情報特定方法は、通信相手と通信する通信装置での通信相手特定方法であって、
所定の問い合わせ情報に対応する回答情報を記憶手段に記憶し、
前記所定の問い合わせ情報をブロードキャスト送信し、
前記所定の問い合わせ情報に対する応答情報と当該応答情報の送信元の通信用識別情報とを含む返信情報を受信し、
前記応答情報が前記回答情報と一致する場合に、前記応答情報の送信元の通信用識別情報を、前記通信相手の通信用識別情報として特定する。【００１２】
本発明の返信情報送信方法は、車両に設置される通信装置での返信情報送信方法であって、
前記通信装置の通信用識別情報を更新し、
所定の問い合わせ情報に対応する回答情報を記憶手段に記憶し、
前記所定の問い合わせ情報を受信すると、前記通信装置の最新の通信用識別情報を含みかつ前記所定の問い合わせ情報に対する応答情報として前記回答情報を含む返信情報を、前記所定の問い合わせ情報の送信元に送信する。【００１３】
本発明のプログラムは、コンピュータに、
所定の問い合わせ情報に対応する回答情報を記憶手段に記憶する記憶手順と、
前記所定の問い合わせ情報をブロードキャスト送信する送信手順と、
前記所定の問い合わせ情報に対する応答情報と当該応答情報の送信元の通信用識別情報とを含む返信情報を受信する受信手順と、
前記応答情報が前記回答情報と一致する場合に、前記応答情報の送信元の通信用識別情報を、通信相手の通信用識別情報として特定する特定手順と、を実行させる。
【００１４】
本発明のプログラムは、コンピュータに、
前記コンピュータの通信用識別情報を更新する更新手順と、
所定の問い合わせ情報に対応する回答情報を記憶手段に記憶する記憶手順と、
前記所定の問い合わせ情報を受信すると、前記コンピュータの最新の通信用識別情報を含みかつ前記所定の問い合わせ情報に対する応答情報として前記回答情報を含む返信情報を、前記所定の問い合わせ情報の送信元に送信する通信手順と、を実行させる。
【発明の効果】
【００１５】
本発明によれば、通信相手の新たな通信用識別情報を入手することが可能になる。
【図面の簡単な説明】
【００１６】
【図１】本発明の一実施形態の通信装置１００を示したブロック図である。
【図２】記憶部２内の合言葉（問い合わせ情報と回答情報）の一例を示した図である。
【図３】通信装置１００の動作を説明するためのシーケンス図である。
【図４】記憶部２と送信部３と受信部４と制御部５とからなる通信装置１００を示した図である。
【図５】更新部１と記憶部２と通信制御部６とからなる通信装置１００を示した図である。
【発明を実施するための形態】
【００１７】
以下、本発明の実施形態について図面を参照して説明する。
【００１８】
図１は、本発明の一実施形態の通信装置１００を示したブロック図である。
【００１９】
通信装置１００は、例えば、車両に搭載され車々間通信を行う。なお、通信装置１００は、車両に搭載された他の通信装置と通信する路側機として用いられてもよい。
【００２０】
図１において、通信装置１００は、更新部１と、記憶部２と、送信部３と、受信部４と、制御部５と、を含む。送信部３と受信部４と制御部５は、通信制御部６に含まれる。
【００２１】
更新部１は、更新手段の一例である。更新部１は、通信装置１００の通信用識別情報（以下「ＩＤ」と称する）を保持し、かつ、ＩＤを更新する。更新部１は、定期的（例えば、１分ごと、３０分ごと、または、１時間ごと）にＩＤを更新する。なお、更新部１は、通信装置１００に電源電圧が供給された際にＩＤを更新してもよい。更新部１は、更新後のＩＤを保持する。なお、ＩＤは、通信時に通信装置１００を特定するために用いられる。ＩＤは、例えばＩＰアドレスである。
【００２２】
記憶部２は、記憶手段の一例である。記憶部２は、予め定められた問い合わせを表す問い合わせ情報と、その問い合わせに対応する回答を表す回答情報と、を記憶する。記憶部２内の問い合わせ情報は、所定の問い合わせ情報の一例であり、記憶部２内の回答情報は、所定の問い合わせ情報に対応する回答情報の一例である。以下では、問い合わせ情報と回答情報とをまとめて「合言葉」と称する。
【００２３】
図２は、記憶部２内の合言葉（問い合わせ情報と回答情報）の一例を示した図である。
【００２４】
図２では、問い合わせ情報である「山」と、問い合わせ情報「山」に対応する回答情報である「川」とが、互いに関連づけられている。なお、合言葉は、問い合わせ情報と回答情報とで構成される一対の文字列に限らず、例えば一対の数字列（例えば、問い合わせ情報「0101025」と回答情報「1113728」）でもよく適宜変更可能である。
【００２５】
送信部３は、送信手段の一例である。送信部３は、他の通信装置１００に、種々の情報（例えば、問い合わせ情報を含む質問情報や、質問情報についての返信情報）を送信する。
【００２６】
受信部４は、受信手段の一例である。受信部４は、他の通信装置１００から送信された種々の情報（例えば、質問情報や、質問情報についての返信情報）を受信する。
【００２７】
制御部５は、制御手段の一例である。制御部５は、通信装置１００の動作を制御する。
【００２８】
通信制御部６は、通信制御手段の一例である。通信制御部６は、通信装置１００の通信動作を制御する。
【００２９】
次に、動作を説明する。
【００３０】
図３は、通信装置１００の動作を説明するためのシーケンス図である。図３では、２台の通信装置１０１および１０２の間の通信動作を示している。通信装置１０１および１０２は、それぞれ、図１に示した通信装置１００と同一構成であるとする。
【００３１】
通信装置１０１内の記憶部２と通信装置１０２内の記憶部２には、それぞれ、合言葉として、図２に示した問い合わせ情報「山」および回答情報「川」が記憶されているとする。例えば、通信装置１０１のユーザと通信装置１０２のユーザとが、事前に合言葉を決めておき、通信装置１０１のユーザがその合言葉を通信装置１０１内の記憶部２に登録し、通信装置１０２のユーザがその合言葉を通信装置１０２内の記憶部２に登録する。なお、合言葉の登録手法は、上記に限らず適宜変更可能である。
【００３２】
以下、通信装置１０１が通信装置１０２のＩＤを入手する動作を説明する。
【００３３】
通信装置１０１内の制御部５は、所定のタイミングになると、通信装置１０１内の記憶部２から問い合わせ情報「山」を読み出し、かつ、通信装置１０１内の更新部１から通信装置１０１の最新のＩＤを読み出す。
【００３４】
所定のタイミングは、例えば、定期的なタイミング、通信装置１０２との通信を開始するタイミング、または、通信装置１０１内の更新部１がＩＤを更新したタイミングである。
【００３５】
なお、通信装置１０１内の制御部５は、例えば、不図示の入力部が通信装置１０２との通信を開始する旨の通信開始指示を受け付けたタイミングを、通信装置１０２との通信を開始するタイミングとして認識する。
【００３６】
また、通信装置１０１内の制御部５は、例えば、通信装置１０１内の更新部１が保持するＩＤを監視して、通信装置１０１内の更新部１がＩＤを更新したタイミングを検出する。なお、通信装置１０１内の更新部１が、ＩＤを更新した際に通信装置１０１内の制御部５に更新通知を出力する場合には、通信装置１０１内の制御部５は、更新通知を受け付けたタイミングを、通信装置１０１内の更新部１がＩＤを更新したタイミングとして認識してもよい。
【００３７】
続いて、通信装置１０１内の制御部５は、問い合わせ情報「山」と通信装置１０１の最新のＩＤとを含む質問情報を生成し（ステップＳ３０１）、質問情報を通信装置１０１内の送信部３に出力する。
【００３８】
通信装置１０１内の送信部３は、質問情報を受け付けると、質問情報をブロードキャスト送信する（ステップＳ３０２）。
【００３９】
なお、質問情報をブロードキャスト送信する手法は、例えば、路側機が周辺の車載機に路側機情報（使用ＣＨ等を表す情報）をブロードキャスト送信するService  Advertisement（ＳＡ：番組表送信）と同様の手法で実行される。
【００４０】
通信装置１０２内の受信部４は、通信装置１０１から送信された質問情報を受信すると、その質問情報を、通信装置１０２内の制御部５に出力する。
【００４１】
通信装置１０２内の制御部５は、質問情報を受け付けると、質問情報から問い合わせ情報「山」を読み出す。
【００４２】
続いて、通信装置１０２内の制御部５は、通信装置１０２内の記憶部２に、問い合わせ情報「山」が存在するかを判断する。
【００４３】
通信装置１０２内の記憶部２に問い合わせ情報「山」が存在しない場合、通信装置１０２内の制御部５は、質問情報に応じた通信を終了する。
【００４４】
一方、通信装置１０２内の記憶部２に問い合わせ情報「山」が存在する場合、通信装置１０２内の制御部５は、通信装置１０２内の記憶部２から、問い合わせ情報「山」に対応する回答情報「川」を読み出し、かつ、通信装置１０２内の更新部１から通信装置１０２の最新のＩＤを読み出す。なお、図３では、通信装置１０２内の記憶部２に問い合わせ情報「山」が存在するときの動作を示している。
【００４５】
続いて、通信装置１０２内の制御部５は、通信装置１０２の最新のＩＤを含みかつ問い合わせ情報「山」に対する応答情報として回答情報「川」を含む返信情報を生成する（ステップＳ３０３）。
【００４６】
続いて、通信装置１０２内の制御部５は、返信情報の送信先を、質問情報に含まれる通信装置１０１の最新のＩＤに設定する。
【００４７】
続いて、通信装置１０２内の制御部５は、送信先が設定された返信情報を、通信装置１０２内の送信部３に出力する。
【００４８】
通信装置１０２内の送信部３は、送信先が設定された返信情報を受け付けると、その返信情報を、設定された送信先つまり通信装置１０１に、ユニキャスト送信する（ステップＳ３０４）。
【００４９】
通信装置１０１内の受信部４は、通信装置１０２から送信された返信情報を受信すると、その返信情報を、通信装置１０１内の制御部５に出力する。
【００５０】
通信装置１０１内の制御部５は、返信情報を受け付けると、返信情報から応答情報として設定された回答情報「川」を読み出す。
【００５１】
続いて、通信装置１０１内の制御部５は、通信装置１０２内の記憶部２に、返信情報から読み出された回答情報「川」が存在するかを判断する。
【００５２】
通信装置１０１内の記憶部２に回答情報「川」が存在しない場合、通信装置１０１内の制御部５は、返信情報の送信元は、正規の通信相手つまり通信装置１０２ではないと判断し、返信情報に応じた通信を終了する。
【００５３】
一方、通信装置１０１内の記憶部２に回答情報「川が存在する場合、通信装置１０１内の制御部５は、返信情報の送信元が、正規の通信相手つまり通信装置１０２であると判断し、返信情報から通信装置１０２の最新のＩＤを読み出し、そのＩＤを、通信相手である通信装置１０２のＩＤとして特定する（ステップＳ３０５）。なお、図３では、通信装置１０１内の記憶部２に回答情報「川」が存在するときの動作を示している。
【００５４】
通信装置１０１内の制御部５は、通信相手のＩＤを特定すると、そのＩＤを用いて通信相手を指定して、通信相手とユニキャスト通信を行う（ステップＳ３０６）。
【００５５】
なお、通信装置１０１内の制御部５は、通信相手のＩＤを特定した後、周囲の通信装置に対して現在位置の通知を要求する位置要求をブロードキャスト送信し、その位置要求に対する応答である位置情報を周囲の通信装置から受信し、その後、通信相手のＩＤおよび位置情報を用いて、通信相手とユニキャスト通信を行ってもよい。
【００５６】
次に、本実施形態の効果を説明する。
【００５７】
本実施形態では、記憶部２は、問い合わせ情報に対応する回答情報を記憶する。送信部３は、記憶部２に記憶されている問い合わせ情報をブロードキャスト送信する。受信部４は、問い合わせ情報に対する応答情報と応答情報の送信元のＩＤ（通信用識別情報）とを含む返信情報を受信する。制御部５は、返信情報内の応答情報が、記憶部２内の回答情報と一致する場合に、応答情報の送信元のＩＤを通信相手のＩＤとして特定する。
【００５８】
このため、問い合わせ情報に対応する回答情報を認識している通信相手のＩＤが変更されても、通信相手の新たなＩＤを入手することが可能になる。
【００５９】
なお、上記効果は、記憶部２と送信部３と受信部４と制御部５とからなる通信装置１００でも奏する。
【００６０】
図４は、記憶部２と送信部３と受信部４と制御部５とからなる通信装置１００を示した図である。
【００６１】
また、本実施形態では、制御部５は、通信相手のＩＤを用いて、送信部３および受信部４を介して通信相手と通信する。
【００６２】
このため、通信相手の新たなＩＤを用いて、通信相手と通信することが可能になる。
【００６３】
なお、通信装置１００に記憶されている合言葉と同一の合言葉を１台の通信装置（以下「通信装置２００」と称する）しか記憶していない状況で、受信部４が、回答情報と一致する応答情報を含む複数の返信情報を受信した場合には、通信装置２００から送信された回答情報が他の通信装置にて不正に取得され、不正に取得された回答情報を含む返信情報が送信されている可能性がある。
【００６４】
このため、制御部５は、不図示の入力部が、通信相手が１台である旨の第１通信相手情報をユーザから受け付けたときには、受信部４が所定時間（例えば５秒）内に回答情報と一致する応答情報を含む複数の返信情報を受信した場合には、複数の返信情報のうちで最も早く受信された返信情報に含まれる応答情報の送信元のＩＤを、通信相手のＩＤとして特定してもよい。なお、所定時間は５秒に限らず適宜変更可能である。
【００６５】
この場合、正規の通信相手のＩＤを入手でき、かつ、回答情報を不正に取得した通信装置との通信を防止することが可能になる。
【００６６】
また、通信装置１００に記憶されている合言葉と同一の合言葉を複数台の通信装置が記憶している状況では、受信部４が所定時間内に回答情報と一致する応答情報を含む複数の返信情報を受信することが考えられる。
【００６７】
このため、制御部５は、不図示の入力部が、通信相手が複数台である旨の第２通信相手情報をユーザから受け付けたときには、受信部４が所定時間内に回答情報と一致する応答情報を含む複数の返信情報を受信した場合に、各返信情報に含まれる応答情報の送信元のＩＤを、各通信相手のＩＤとして特定してもよい。
【００６８】
この場合、質問情報を１回送信することで、複数の通信相手のＩＤを入手することが可能になる。
【００６９】
また、本実施形態では、更新部１は、通信装置１００のＩＤを更新する。記憶部２は、問い合わせ情報に対応する回答情報を記憶する。通信制御部６は、問い合わせ情報を受信すると、通信装置１００の最新のＩＤも含みかつ該問い合わせ情報に対する応答情報として記憶部２内の回答情報を含む返信情報を、問い合わせ情報の送信元に送信する。
【００７０】
このため、自装置の最新のＩＤを、問い合わせ情報に対応する回答情報と共に、問い合わせ情報の送信元に通知することが可能になる。
【００７１】
なお、上記効果は、更新部１と記憶部２と通信制御部６とからなる通信装置１００でも奏する。
【００７２】
図５は、更新部１と記憶部２と通信制御部６とからなる通信装置１００を示した図である。
【００７３】
なお、通信装置１００が、車両に搭載された他の通信装置と通信する路側機として用いられる場合には、更新部１は通信装置１００のＩＤを更新しなくてもよく、また、記憶部２が通信装置１００のＩＤを記憶する場合には、更新部１が省略されてもよい。
【００７４】
また、通信装置１００は、コンピュータにて実現されてもよい。この場合、コンピュータは、コンピュータにて読み取り可能なＣＤ−ＲＯＭ（Compact  Disk  Read  Only  Memory）のような記録媒体に記録されたプログラムを読込み実行して、更新部１、記憶部２、送信部３、受信部４および制御部５として機能する。記録媒体は、ＣＤ−ＲＯＭに限らず適宜変更可能である。
【００７５】
以上説明した実施形態において、図示した構成は単なる一例であって、本発明はその構成に限定されるものではない。
【００７６】
実施形態を参照して本願発明を説明したが、本願発明は上記実施形態に限定されるものではない。本願発明の構成や詳細には、本願発明のスコープ内で当業者が理解し得る様々な変更をすることができる。この出願は、２０１２年３月１９日に出願された日本出願特願２０１２−６１６６６を基礎とする優先権を主張し、その開示の全てをここに取り込む。
【符号の説明】
【００７７】
１００      通信装置
１      更新部
２      記憶部
３      送信部
４      受信部
５      制御部
６      通信制御部
【図１】
0005949901.tif 000002
【図２】
0005949901.tif 000003
【図３】
0005949901.tif 000004
【図４】
0005949901.tif 000005
【図５】
0005949901.tif 000006